【手続補正書】
【提出日】平成16年11月2日(2004.11.2)
【手続補正１】
【補正対象書類名】明細書
【補正対象項目名】全文
【補正方法】変更
【補正の内容】
【書類名】  明細書
【発明の名称】  誘導加熱調理器
【特許請求の範囲】
【請求項１】  調理物のメニューを選択するメニュー選択手段と、複数の調理工程の全体の加熱時間または一部工程の加熱時間を設定する加熱時間設定手段とを備え、前記メニュー選択手段により選択されたメニューに応じて、前記加熱時間設定手段により設定可能な時間範囲を変更してなる誘導加熱調理器。
【請求項２】  メニュー選択手段により選択されたメニューに応じて、加熱時間設定手段により設定できる加熱時間の刻み幅を変更してなる請求項１記載の誘導加熱調理器。
【請求項３】  加熱時間設定手段により設定される加熱時間を初期値に戻した際に、所定時間、加熱時間の変更を禁止すると共に、初期値に戻ったことを報知してなる請求項１または２記載の誘導加熱調理器。
【請求項４】  加熱調理中に加熱時間を０に設定した際に、加熱調理が終了するのを所定時間延期してなる請求項１〜３のいずれか１項に記載の誘導加熱調理器。
【請求項５】  調理終了が延期されている旨を使用者に報知してなる請求項４記載の誘導加熱調理器。
【発明の詳細な説明】
【０００１】
【発明の属する技術分野】
本発明は、一般家庭において使用される誘導加熱調理器に関するものである。
【０００２】
【従来の技術】
図１２は従来の誘導加熱調理器に関する構成を示したものである。図１２において、１は負荷鍋、２はサーミスタ等の温度素子、３は商用電源、４は商用電源３を整流する整流回路、５は加熱コイル、６はＩＧＢＴ等で構成されたスイッチング素子、７はインバータ回路、８は整流回路４と加熱コイル５とスイッチング素子６とインバータ回路７で構成された誘導加熱部、９は温度素子２によって測定した温度と、設定温度を比較して、誘導加熱部８の制御を行う誘導加熱部制御手段１０に加熱、非加熱の指示を行う温度調節手段である。
【０００３】
また、１１はキー等で構成された入力手段、１２は液晶等で構成された、誘導加熱調理器の動作状態を表示する表示手段、１３はキー入力や調理の終了等を報知するブザーである。図１３は入力手段１１と表示手段１２の詳細図である。
【０００４】
以下、その動作について説明する。従来の誘導加熱調理器は、メニューに応じた調理工程を選択するメニュー選択手段１１ａ及び、加熱温度等を設定する加熱温度設定手段１１ｂによって選択された加熱制御方法や設定温度と、温度素子２で検知した温度に基づき、誘導加熱部制御手段１０は誘導加熱部８内のスイッチング素子６をパルス信号にて高速でオンオフ制御していた。このオンオフ制御とインバータ回路７により加熱コイル５に電流を流し、プレート上に載置された負荷鍋１を誘導加熱して調理を行っていた。
【０００５】
また、調理工程の全体の時間を設定する加熱時間設定手段１１ｃと、設定した加熱時間を取り消す加熱時間取消手段１１ｄによって、メニューに関係なく一定の時間範囲内で加熱設定時間をセットすると、その時間が経過するまで加熱を行いその後、ブザー１３で終了報知を行い加熱調理を終了していた。
【０００６】
【発明が解決しようとする課題】
しかしながら、上記従来のような構成では、加熱時間設定手段１１ｃによって設定できる加熱設定時間の範囲がメニューに関係なく一定で、最大１４時間と長時間であったため、たとえばケーキのように最大でも１時間以内の加熱調理で十分なメニューの場合、前記加熱時間設定手段１１ｃによって加熱設定時間を１時間にセットしようとしてオーバーしたとき、再度１時間にセットしようとすると、加熱時間設定手段１１ｃを押し続けて１４時間を越えて０時間に戻し、そこから１時間にセットするか、あるいは、前記加熱時間取消手段１１ｄを一度動作して、加熱設定時間を０時間に戻し、再度加熱時間設定手段１１ｃを動作して１時間にセットするという余分な手間がかかり、使い勝手が悪いという問題点を有していた。
【０００７】
本発明は、上記従来の問題点を解決するもので、メニューに応じて加熱設定時間の範囲を変更する時間範囲変更手段を設けることにより、たとえば短い加熱時間ですむケーキ等のメニューが選択されると、設定できる加熱設定時間の範囲を０時間〜１時間の範囲と短くし、反対に煮込みなどの長い加熱時間が必要なメニューが選択された場合には設定できる加熱設定時間の範囲を０時間〜１４時間と長くすることができるので、使用者の操作ミスにより加熱設定時間をオーバーしても、加熱時間設定手段１１ｃを押し続けるだけで、余計な時間や手間をかけないで加熱時間を再設定することができ、また、使用者に各メニューの調理の最大時間を知らせることができる使い勝手の良い誘導加熱調理器を提供することを目的とする。
【０００８】
【課題を解決するための手段】
上記課題を解決するために本発明は、調理物のメニューを選択するメニュー選択手段と、複数の調理工程の全体の加熱時間または一部工程の加熱時間を設定する加熱時間設定手段とを備え、前記メニュー選択手段により選択されたメニューに応じて、前記加熱時間設定手段により設定可能な時間範囲を変更してなるものである。
【０００９】
【発明の実施の形態】
請求項１記載の発明は、調理物のメニューを選択するメニュー選択手段と、複数の調理工程の全体の加熱時間または一部工程の加熱時間を設定する加熱時間設定手段とを備え、前記メニュー選択手段により選択されたメニューに応じて、前記加熱時間設定手段により設定可能な時間範囲を変更してなることにより、短い調理時間のメニューにおいて加熱時間の修正が容易になるとともに各メニューの最大調理時間も知ることができるという作用を有する。
【００１０】
請求項２記載の発明は、メニュー選択手段により選択されたメニューに応じて、加熱時間設定手段により設定できる加熱時間の刻み幅を変更してなることにより、煮込みのように加熱調理時間が長いメニューでは、加熱設定時間の刻み幅を長く、反対にケーキのように加熱調理時間が短く、微妙な調理時間の設定が必要なものは加熱設定時間の刻み幅を短くするこができ、使用者は加熱時間の設定が容易になるという作用を有する。
【００１１】
請求項３記載の発明は、加熱時間設定手段によって加熱設定時間を初期値に戻すと、一定の時間加熱時間が変更されるのを禁止し、初期値に戻ったことを報知することにより、使用者が加熱時間設定手段によって加熱設定時間を初期値に戻そうとした場合、加熱設定の最大時間が解らなく加熱時間設定手段を動作させ続け、急に初期値に戻っても、一定の時間加熱設定時間の初期値を保持し続け、かつ初期値に戻ったことが使用者に報知されるので、初期値への設定が容易になるという作用を有する。
【００１２】
請求項４記載の発明は、加熱調理中、加熱設定時間を０に設定すると、加熱調理が終了するのを一定の時間延期することにより、使用者が加熱調理中に加熱設定時間を変更したいとき、前記加熱時間取消手段によって加熱設定時間を０に取消しても、調理終了延期手段によって加熱調理が終了するのを延期している間、加熱時間設定手段によって再設定を行える。また、同じく加熱時間設定手段によって加熱設定時間を０に戻し、そのまま加熱時間設定手段を操作し続けても、終了することなく加熱時間の設定が行える。以上のように調理終了延期手段を設けることにより、加熱調理を中断することもなく加熱調理時間の変更が容易に行えるという作用を有する。
【００１３】
請求項５記載の発明は、調理終了が延期されたことを報知することにより、使用者が加熱調理中に加熱調理時間を変更しようと調理終了を延期させた場合、あるいは誤って動作させてしまった場合でも、使用者には調理終了が延期されていることが解り、使い勝手が良いという作用を有する。
【００１４】
【実施例】
（実施例１）
以下、本発明の第１の実施例について図面を参照しながら説明する。従来例と同一の構成要素については同じ番号を付し説明を省略する。
【００１５】
図１は本実施例の全体構成図であり、入力手段１１には、メニュー選択手段１１ａから出力されるメニューに応じて、加熱時間設定手段１１ｃによって設定できる加熱時間設定の範囲を変更する時間範囲変更手段１４を接続する。
【００１６】
この実施例の動作について本実施例の動作を図２のフローチャートを用いて説明する。時間範囲変更手段１４は、まずステップ１で加熱時間設定手段１１ｃであるタイマーキーが押されたかどうか判断する。もし押されていないならＮＯとなり終了する。反対に押されたならＹＥＳとなりステップ２に移行する。ステップ２ではメニュー選択手段１１ａによって選択されたメニューが煮るかどうか判断する。もしメニューが煮るならば、ＹＥＳとなりステップ３に移行する。
【００１７】
次にステップ３では、現在の加熱設定時間が煮るの最大設定時間である１４時間かどうかを判断する。もし１４時間になっていなければＮＯとなりステップ４に移行する。ステップ４では現在の加熱設定時間を１０分増やして終了する。反対にステップ３で１４時間になっていたと判断するとＹＥＳとなりステップ５に移行する。ステップ５ではそれぞれのメニューの最大加熱設定時間から加熱時間設定手段１１ｃであるタイマーキーが押されたので加熱設定時間を初期値の０時間に戻し終了する。ここでステップ２でメニューが煮るでなかった場合には、ＮＯとなりステップ６に移行する。ステップ６ではメニュー選択手段１１ａによって選択されたメニューがケーキかどうかを判断する。もしメニューがケーキならば、ＹＥＳとなりステップ７に移行する。
【００１８】
次にステップ７では、現在の加熱設定時間がケーキの最大設定時間である１時間かどうかを判断する。もし１時間になっていなければＮＯとなりステップ４に移行する。ステップ４では現在の加熱設定時間を１０分増やして終了する。反対にステップ７で１時間になっていたと判断するとＹＥＳとなりステップ５に移行する。ステップ５ではそれぞれのメニューの最大加熱設定時間から加熱時間設定手段１１ｃであるタイマーキーが押されたので加熱設定時間を初期値の０時間に戻し終了する。また反対にステップ６でメニューがケーキでなくＮＯとなった場合には、ステップ２及びステップ６と同じく選択されたメニューの判断を行い、ステップ３及びステップ７と同じくそのメニューの最大加熱設定時間を判断し、もしそのメニューの最大加熱設定時間になっていたならばステップ５で加熱設定時間を初期値の０に戻し、最大加熱設定時間でなければステップ４で加熱設定時間を１０分増やすという処理を行う。
【００１９】
以上のように本実施例によれば、メニュー選択手段１１ａによって選択されたメニューに応じて、加熱時間設定手段１１ｃによって設定できる加熱設定時間の範囲を変更する時間範囲変更手段１４を設けることにより、ケーキ等の加熱時間が短くてすむメニューが選択されると、設定できる加熱設定時間の範囲を０時間〜１時間の範囲と短くし、反対に煮込みなどの長い加熱時間が必要なメニューが選択された場合には設定できる加熱設定時間の範囲を０時間〜１４時間と長くすることができるので、ケーキ等の加熱時間の短いメニューの加熱設定時間を１時間にセットしようとしてオーバーしても、加熱時間設定手段１１ｃを押し続けるだけで、すぐに加熱設定時間を初期値に戻して１時間に設定できるため、余計な時間や手間をかけないで加熱時間を再設定することができ、また、使用者に各メニューの調理の最大時間を知らせることができる使い勝手の良い誘導加熱調理器を提供することができる。
【００２０】
（実施例２）
以下、本発明の第２の実施例について図面を参照しながら説明する。図３は本実施例の全体構成図であり実施例１と同一の構成要素については同じ番号を付し説明を省略する。
【００２１】
時間範囲変更手段１４には、メニュー選択手段１１ａから出力されるメニューに応じて、加熱時間設定手段１１ｃによって設定できる加熱時間の間隔を変更する時間間隔変更手段１５を接続する。
【００２２】
この第２の実施例の動作について、図４のフローチャートを用いて説明する。なお実施例１と同一の動作については同じステップ番号を付し説明を省略する。ステップ３においてＮＯとなりステップ８に移行すると、時間間隔変更手段１５は現在の加熱設定時間をメニューの煮るに応じて１５分増やして終了する。同じく時間間隔変更手段１５はステップ７においてＮＯとなりステップ９に移行すると、現在の加熱設定時間をメニューのケーキに応じて１分増やして終了する。
【００２３】
以上のように本実施例によれば、メニュー選択手段１１ａによって選択されたメニューに応じて、加熱時間設定手段１１ｃによって設定できる加熱設定時間の刻み幅を変更する時間間隔変更手段１５を設けることにより、ケーキ等の加熱時間が短く、微妙な加熱調理の時間の設定が必要なメニューにおいては設定時間の間隔を１分と短く反対に、煮込みのように加熱調理時間が長く微妙な調理時間の設定が必要でないメニューでは、加熱設定時間の間隔を１５分と長くすることができるので、メニューに応じて微妙な加熱調理の時間設定と、素早い加熱調理時間の設定とを使い分けることができる使い勝手の良い誘導加熱調理器を提供することができる。
【００２４】
（実施例３）
以下、本発明の第３の実施例について図面を参照しながら説明する。図５は本発明の全体構成図であり実施例２と同一の構成要素については同じ番号を付し説明を省略する。
【００２５】
時間間隔変更手段１５には、前記加熱時間設定手段１１ｃにより加熱設定時間が初期値に戻されると一定の時間加熱設定時間が変更されるのを禁止して、初期値に戻ったことを報知する初期値報知手段１６を接続する。
【００２６】
この第３の実施例の動作についてその動作を図６のフローチャートを用いて説明する。なお実施例２と同一の動作については同じステップ番号を付し説明を省略する。ステップ５にて加熱設定時間を初期値の０に戻しステップ１０に移行すると、初期値報知手段１６は初期値０の変更を０．６秒間禁止し、ステップ１１では誘導加熱部制御手段１０を介してブザー１３を吹鳴して初期値に戻ったことを報知する。
【００２７】
以上のように本実施例によれば、加熱時間設定手段１１ｃによって加熱設定時間が初期値に戻ると、０．６秒間加熱設定時間の変更を禁止して、ブザー１３によって吹鳴を行う初期値報知手段１６を設けることにより、使用者が加熱時間設定手段１１ｃによって加熱設定時間を初期値に戻そうとした場合、加熱設定の最大時間が解らなく加熱時間設定手段１１ｃを動作させ続け、急に初期値に戻っても、一定の時間加熱設定時間の初期値を保持し続け、かつ初期値に戻ったことが使用者に報知されるので、初期値への設定が容易になるという使い勝手の良い誘導加熱調理器を提供することができる。
【００２８】
（実施例４）
以下、本発明の第４の実施例について図面を参照しながら説明する。図７は本発明の全体構成図であり実施例３と同一の構成要素については同じ番号を付し説明を省略する。
【００２９】
初期値報知手段１６には、加熱調理中、加熱設定時間を０に設定すると、加熱調理が終了するのを一定の時間延期する調理終了延期手段１７を接続する。
【００３０】
この第４の実施例について、図８のフローチャートを用いて説明する。なお実施例３と同一の動作については同じステップ番号を付し説明を省略する。調理終了延期手段１７はステップ１２で初期値に変更されたのが加熱調理中かどうか判断する。ＮＯならばそのままこの処理を終了する。反対にＹＥＳならステップ１３に移行する。ステップ１３では加熱終了するのを１０秒待つ信号を誘導加熱部制御手段１０に送信して、加熱調理が終了するのを１０秒間延期させる。
【００３１】
以上のように本実施例によれば、加熱調理中、加熱時間設定手段１１ｃにより加熱設定時間を０に設定すると、１０秒間、加熱調理が終了するのを延期する調理終了延期手段１７を設けることにより、使用者が加熱調理中に加熱設定時間を変更したいとき、加熱時間設定手段１１ｃによって加熱設定時間を０に戻し、そのまま加熱時間設定手段１１ｃによって加熱時間の設定を行え、加熱調理を中断することなく加熱調理時間の変更が容易に行えるという作用を有す。なお本実施例において加熱設定時間を０に戻すのに加熱時間設定手段１１ｃを用いたが、前記加熱時間取消手段１１ｄを用いても問題ない。
【００３２】
（実施例５）
以下、本発明の第５の実施例について図面を参照しながら説明する。図９は本発明の全体構成図であり実施例４と同一の構成要素については同じ番号を付し説明を省略する。
【００３３】
調理終了延期手段１７には、調理終了延期手段１７が動作中であるとき、その報知を行う終了延期報知手段１８を接続する。
【００３４】
この第５の実施例について、その動作を図１０のフローチャートを用いて説明する。なお実施例４と同一の動作については同じステップ番号を付し説明を省略する。終了延期報知手段１８はステップ１４において表示手段１２に１０秒間の終了延期中であることを報知する信号を出力する。図１１は本第５発明の表示手段１２を用いた動作図である。調理中加熱時間が０に設定され、調理終了延期手段１７が動作している１０秒間、終了延期報知手段１８によって０時間の表示を点滅し、使用者に調理終了を延期中であることを報知する。
【００３５】
以上のように本実施例によれば、調理終了延期手段１７が動作中であるとき、その報知を行う終了延期報知手段１８を設けることにより、使用者が加熱調理中に加熱調理時間を変更しようと前記調理終了延期手段１７を動作させた場合、あるいは誤って動作させてしまった場合でも、使用者には調理終了延期手段１７が動作中であることが解り、加熱調理時間を変更する１０秒間のタイミングがとりやすく、また誤って加熱時間設定手段１１ｃによって０時間に設定されても使用者に報知を行うので使い勝手がよいという作用を有する。なお本実施例において加熱設定時間を０に戻すのに加熱時間設定手段１１ｃを用いたが、前記加熱時間取消手段１１ｄを用いても問題ない。また、本実施例では調理終了延期手段１７が動作中であることを表示手段１２を用いて報知したが、ブザー１３を用いても問題ない。
【００３６】
【発明の効果】
以上のように、請求項１記載の発明によれば、それぞれ調理メニューに応じて、設定できる加熱時間の範囲が調理に必要な時間範囲に変わるので、短い加熱調理時間のメニューで設定時間を間違っても、加熱時間設定手段を押し続けるだけで、余分な手間や時間をかけないで加熱調理時間の再設定をすることができる。また、使用者は各メニューの調理を行う上での最大調理時間を知ることができ使い勝手がよいという効果を有する。
【００３７】
また、請求項２記載の発明によれば、それぞれ調理メニューに応じて、設定できる加熱時間の刻み幅が加熱調理時間が長いメニューでは加熱設定時間の刻み幅を長く、反対に調理時間が短く、微妙な調理時間の設定が必要なメニューでは加熱設定時間の刻み幅を短くするこができるので、使用者は加熱時間の設定が容易になるという効果を有する。
【００３８】
また、請求項３記載の発明によれば、加熱設定時間を初期値に戻そうとした場合、加熱設定の最大時間が解らなく加熱時間設定手段を動作させ続け、急に初期値に戻っても、一定の時間加熱設定時間が変更されるのを禁止し、かつ初期値に戻ったことが使用者に報知されるので、初期値への設定が容易になるという効果を有する。
【００３９】
また、請求項４記載の発明によれば、使用者が加熱調理中に加熱設定時間を変更したいとき、加熱時間取消手段により加熱設定時間を０に取消ても、調理終了延期手段により加熱調理が終了するのを一定の時間延期している間、加熱時間設定手段によって再設定を行える。また、同じく加熱時間設定手段によって加熱設定時間を０に戻し、そのまま加熱時間設定手段を操作し続けても、終了することなく加熱時間の設定を行える。以上のように加熱調理を中断することなく加熱調理時間の変更が容易に行えるという効果を有する。
【００４０】
また、請求項５記載の発明によれば、終了延期が報知されることによって、使用者が加熱調理中に加熱調理時間を変更しようと調理終了を延期させた場合、あるいは誤って動作させてしまった場合でも、使用者には調理終了が延期されていることが解り、加熱調理時間を変更するタイミングもとり易く、使い勝手が良いという効果を有する。
【図面の簡単な説明】
【図１】
本発明の第１の実施例における誘導加熱調理器の全体構成図
【図２】
同誘導加熱調理器の動作を示すフローチャート
【図３】
本発明の第２の実施例における誘導加熱調理器の全体構成図
【図４】
同誘導加熱調理器の動作を示すフローチャート
【図５】
本発明の第３の実施例における誘導加熱調理器の全体構成図
【図６】
同誘導加熱調理器の動作を示すフローチャート
【図７】
本発明の第４の実施例における誘導加熱調理器の全体構成図
【図８】
同誘導加熱調理器の動作を示すフローチャート
【図９】
本発明の第５の実施例における誘導加熱調理器の全体構成図
【図１０】
同誘導加熱調理器の動作を示すフローチャート
【図１１】
同誘導加熱調理器の表示態様を示す図
【図１２】
従来の誘導加熱調理器の全体構成図
【図１３】
同誘導加熱調理器の表示態様を示す図
【符号の説明】
１  …  負荷鍋
２  …  温度素子
３  …  商用電源
４  …  整流回路
５  …  加熱コイル
６  …  スイッチング素子
７  …  インバータ回路
８  …  誘導加熱部
９  …  温度調節手段
１０  …  誘導加熱部制御手段
１１  …  入力手段
１１ａ…  メニュー選択手段
１１ｂ…  加熱温度設定手段
１１ｃ…  加熱時間設定手段
１１ｄ…  加熱時間取消手段
１２  …  表示手段
１３  …  ブザー
１４  …  時間範囲変更手段
１５  …  時間間隔変更手段
１６  …  初期値報知手段
１７  …  調理終了延期手段
１８  …  終了延期報知手段